(57)【特許請求の範囲】
【請求項１】
アンテナエレメントに接続された複数のインピーダンス素子をそれぞれ有効／無効の二つの状態に切替える複数の切替え手段と、前記切替え手段を作動させて前記複数のインピーダンス素子を切替えるタイミングを制御する制御手段とを備え、前記制御手段で前記切替え手段を制御して前記複数のインピーダンス素子を切替えることによって、前記アンテナの高周波特性を切替えるように構成されたアンテナ特性切替機構において、
前記制御手段と前記切替え手段とは非金属媒体にて構成された光ファイバーを介して光結合され、
前記制御手段は、
前記複数の切替え手段に対応して複数の発光ダイオードを備えるとともに、前記複数の切替え手段をそれぞれ有効／無効に切り替えるタイミングで、前記複数の切替え手段に対応する発光ダイオードを発光／非発光させるように制御し、
各切替え手段は、
前記発光ダイオードが発光したときに出力される光エネルギーが前記光ファイバーを介して照射されることによって光起電力を発生させ、この光起電力によって各切替え手段をそれぞれ有効／無効に切り替えるように構成されていることを特徴とするアンテナ特性切替機構。
【請求項２】
前記各インピーダンス素子はそれぞれ前記アンテナエレメントに直列に接続され、
前記各切替え手段は、
それぞれ、前記インピーダンス素子の両端にソースとドレインが接続された電界効果トランジスタ、及びゲートに正極が接続されソースに負極が接続されて、光エネルギーが照射されることによって光起電力を発生させる太陽電池とから構成され、
前記光ファイバーは、
一端が前記各太陽電池の受光面に対向させて配置されていることによって、前記発光ダイオードが発光したときに出力される光エネルギーが、前記光ファイバーを介して対応する太陽電池に照射されて光起電力を発生させ、この光起電力によって各切替え手段をそれぞれ有効／無効に切り替えるように構成されていることを特徴とする請求項１に記載のアンテナ特性切替機構。
【発明の詳細な説明】
【０００１】
【発明の属する技術分野】
本発明は、無線通信における複数の通信バンド（周波数帯域）に対応可能なアンテナに関するものであり、特には、アンテナエレメントに接続されたインピーダンス素子を有効／無効の二つの状態に切替える切替え手段を備え、制御装置から供給される作動信号によって前記切替え手段を作動させることによって、前記アンテナの高周波特性を切替えるように構成されたアンテナ特性切替機構に関するものである。
【０００２】
【従来の技術】
従来より、上述したような複数の通信バンドに対応可能なアンテナは、例えば、アンテナの基底部分にコイル又はコンデンサから構成されるインピーダンスマッチング手段を設け、使用する通信バンドに応じて前記マッチング手段を切替え、複数の通信バンドに対応できるように構成されている。
【０００３】
しかしながら、マッチング手段をアンテナエレメントの基底部に設けると、アンテナエレメントの途中もしくは先端にマッチング手段を設けた場合と比較して放射効率が悪くなる。
【０００４】
このため、これらマッチング手段をアンテナエレメントの基底部分ではなく、アンテナエレメントの先端もしくは途中に設けることが放射効率の点からは好ましい。
例えば図２に示す構成のアンテナでは、アンテナエレメント１００の先端もしくは途中にマッチング手段Ｌを直列に設けるとともに、マッチング手段Ｌに近接してマッチング手段Ｌの両端を短絡／非短絡状態の何れか一方に切り替えて、当該マッチング手段を有効／無効の何れかに切り替えるための切替え手段Ｓが接続されている。ここでこの切替え手段Ｓには、作動エネルギーを供給するための電源供給線１０１と、切替え手段Ｓの動作タイミングを指定するための制御信号を供給する信号線１０２とが接続されている。このように構成されたアンテナは、制御信号によって前記切替え手段Ｓを短絡／非短絡状態に切り替えることにより、マッチング手段を有効／無効に切替えて、アンテナエレメント１００の実効長を変化させることができる。このようにして、異なる周波数帯域であっても、それぞれの帯域に対するインピーダンスが適正に整合された状態を得ることができるのである。
しかしながら、上記構成のアンテナにおいては、切替え手段Ｓの作動を制御するための信号線１０２や電源供給線１０１にアンテナエレメント１００や同軸ケーブル１０３の高周波信号が影響を与えたり、逆に、信号線１０２や電源供給線１０１からアンテナエレメント１００や同軸ケーブル１０３へ影響を与えたりするという問題を有していた。
これらの問題は、信号線１０２や電源供給線１０１が金属製であることに問題がある。
【０００５】
そこで、特許第２６１４７８９号公報には、制御信号を光ファイバーで伝送する技術が開示されている。
即ち、図３に示すように、八木アンテナの素子１１０の両端部に補助素子１１１を制御回路１１２を介して断続できるように付設し、素子１２０の両端部に補助素子１２１を制御回路１２２を介して断続できるように付設したものが開示され、制御信号線１３０からの電圧の極性によって、これらの制御回路１１２と制御回路１２２とは互いの導通／遮断状態が逆に動作するように取り付けられている。
例えば前記制御信号線１３０を介して正電圧を印加すると、制御回路１１２が導通状態となって制御回路１２２は遮断状態となり、素子１１０には補助素子１１１が付加され反射器として動作し、他方の素子１２０には補助素子１２１が付加されないので導波器として動作する。
また、負電圧を印加すれば、制御回路の状態が逆になるので、素子１１０には補助素子１１１が付加されず導波器として動作し、他方の素子１２０には補助素子１２１が付加されるので反射器として動作する。
このように、各制御回路１１２，１２２に印加する電圧の極性を切り換えることによって、アンテナの指向性を１８０度反転させるようにしている。
【０００６】
そして、以上の構成において、制御回路を制御するエネルギー源として電池を内蔵するとともに、光信号を光ファイバを介して伝送し、制御回路１１２，１２２の接続状態を制御するという技術が記載されている。
これにより、金属製の信号線や電源供給線に起因する問題は解決される。
【０００７】
【発明が解決しようとする課題】
しかしながら、図３に示した前記アンテナにおいては、素子１１０，１２０の先端部に設けられた補助素子１１１，１２１の断続を制御回路１１２，１２２により制御して、アンテナの指向性の方向を前後に切り換えることができるが、複数の通信バンドに対してインピーダンスを適正に切り替えることはできない。
また、切替え制御に必要なエネルギー源として電池を要しているため、電池の重量の問題や、電池の交換が必要であるという問題がある。
【０００８】
本発明は、上記問題点を解決するためになされたものであり、アンテナや同軸ケーブル等との間での相互影響が無い状態で、複数の通信バンドに対応して切り替えることができるとともに、電池交換等の不要なアンテナ特性切替機構を提供することを目的とするものである。
【０００９】
【課題を解決するための手段】
本発明の請求項１では、
アンテナエレメントに接続された複数のインピーダンス素子をそれぞれ有効／無効の二つの状態に切替える複数の切替え手段と、前記切替え手段を作動させて前記複数のインピーダンス素子を切替えるタイミングを制御する制御手段とを備え、前記制御手段で前記切替え手段を制御して前記複数のインピーダンス素子を切替えることによって、前記アンテナの高周波特性を切替えるように構成されたアンテナ特性切替機構において、
前記制御手段と前記切替え手段とは非金属媒体にて構成された光ファイバーを介して光結合され、
前記制御手段は、
前記複数の切替え手段に対応して複数の発光ダイオードを備えるとともに、前記複数の切替え手段をそれぞれ有効／無効に切り替えるタイミングで、前記複数の切替え手段に対応する発光ダイオードを発光／非発光させるように制御し、
各切替え手段は、
前記発光ダイオードが発光したときに出力される光エネルギーが前記光ファイバーを介して照射されることによって光起電力を発生させ、この光起電力によって各切替え手段をそれぞれ有効／無効に切り替えるように構成されている。
【００１０】
そして、請求項２では、
前記各インピーダンス素子はそれぞれ前記アンテナエレメントに直列に接続され、
前記各切替え手段は、
それぞれ、前記インピーダンス素子の両端にソースとドレインが接続された電界効果トランジスタ、及びゲートに正極が接続されソースに負極が接続されて、光エネルギーが照射されることによって光起電力を発生させる太陽電池とから構成され、
前記光ファイバーは、
一端が前記各太陽電池の受光面に対向させて配置されていることによって、前記発光ダイオードが発光したときに出力される光エネルギーが、前記光ファイバーを介して対応する太陽電池に照射されて光起電力を発生させ、この光起電力によって各切替え手段をそれぞれ有効／無効に切り替えるように構成されている。
【００１１】
このとき、切替え手段が作動するに要する作動エネルギーも作動信号も光によってまかなうことができる。
しかも、光ファイバーは非金属媒体であるので、アンテナエレメントと近接させても、当該アンテナエレメントの高周波特性に対して影響を与えない。
従って、切替え機構によってアンテナの高周波特性に影響を与えることなく、ひとつのアンテナを複数の周波数帯域に対応させることができるのである。
インピーダンス素子としては、キャパシタンス素子やインダクタンス素子が用いられることが多い。例えば、インダクタンス素子の場合には、アンテナエレメントに直列に接続することによって当該アンテナの見かけ上の長さを長くしてマッチング周波数を低くできるので、前記素子の両端を短絡したり開放したりすることによって二つの異なる周波数帯域に対応させることができるのである。
従って、以上のような構成のアンテナ特性切替機構を複数組備えることによって、多数の周波数帯域にマッチングするアンテナが得られるのである。
なお、本明細書におけるインピーダンス素子を有効／無効状態に切り替えるという記載は、インピーダンスの接続状態を操作してアンテナエレメントを本来の周波数帯域とは異なる所定の周波数帯域に整合させる状態もしくはより整合状態に近づける操作を、有効状態に切り替えると記載し、インピーダンスの接続状態を操作してアンテナエレメントを本来の周波数帯域に整合させる状態もしくはより整合状態に近づける操作を、無効状態に切り替えると記載したものである。
【００１２】
【発明の実施の形態】
以下に、本発明のアンテナ切替装置を、その実施の形態を示した図１を参照して説明する。
図１において、Ａはアンテナエレメント、Ｈは無線送受信機、Ｆは制御手段である。そして、１は本発明にかかるアンテナ特性切替機構であり、示すように、アンテナエレメントＡ、無線送受信機Ｈ及び制御手段Ｆとから構成されている。
【００１３】
まず始めに、アンテナエレメントＡの周りの構成を説明する。
図１において、Ａはアンテナエレメントであり、棒状の導体で構成されたモノポ−ルアンテナである。このアンテナエレメントＡには、複数の通信バンドに対してインピーダンスマッチングをとるためのインピーダンス素子を備えたマッチング手段Ｂ，Ｃ，ＤがそれぞれアンテナエレメントＡの途中部分に相互に離して設けられている。
前記インピーダンス素子を有効／無効状態に切替える切替え手段として、後述する電界効果トランジスタと太陽電池を備えている。
なお、マッチング手段Ｂのインピーダンス素子としてコイルＢ１がアンテナエレメントＡの上部に設けられ、マッチング手段Ｃのインピーダンス素子としてコイルＣ１が前記マッチング手段Ｃの下部に設けられ、マッチング手段Ｄのインピーダンス素子としてコンデンサＤ１が前記マッチング手段Ｄの下部に設けられている。
【００１４】
続いて、各マッチング手段の詳細を説明する。
マッチング手段Ｂにおいては、コイルＢ１の両端は電界効果トランジスタＢ２のドレイン端子とソ−ス端子に接続され、この電界効果トランジスタＢ２のゲ−ト端子は、太陽電池Ｂ３の正極側端子に接続され、この太陽電池Ｂ３の負極側端子は、前記電界効果トランジスタＢ２のソ−ス端子に接続されている。
【００１５】
マッチング手段Ｃにおいては、コイルＣ１の両端に電界効果トランジスタＣ２のドレイン端子とソ−ス端子がそれぞれ接続され、この電界効果トランジスタＣ２のゲ−ト端子は、太陽電池Ｃ３の正極側端子に接続され、太陽電池Ｃ３の負極側端子は、電界効果トランジスタＣ２のソ−ス端子が接続されている。
【００１６】
また、マッチング手段Ｄにおいては、コンデンサＤ１は、電界効果トランジスタＤ２のソ−ス端子とドレイン端子間に接続され、この電界効果トランジスタＤ２のゲ−ト端子は、太陽電池Ｄ３の正極側端子に接続され、太陽電池Ｄ３の負極側端子は、電界効果トランジスタＤ２のソ−ス端子が接続されている。
【００１７】
さらに続いて光ファイバーの接続関係を説明する。
太陽電池Ｂ３の受光面には光ファイバーＥ１の一端が対向させて配置され、この光ファイバーＥ１の他端は制御手段Ｆにおいて、発光ダイオードＦ１と対向させて配置されている。太陽電池Ｃ３の受光面には光ファイバーＥ２の一端が対向させて配置され、この光ファイバーＥ２の他端は制御手段Ｆにおいて、発光ダイオードＦ２と対向させて配置されている。太陽電池Ｄ３の受光面には光ファイバーＥ３の一端が対向させて配置され、この光ファイバーＥ３の他端は制御手段Ｆにおいて、発光ダイオードＦ３と対向させて配置されている。
【００１８】
前記コイルＢ１，Ｃ１，コンデンサＤ１は特許請求の範囲におけるインピーダンス素子に相当する構成である。
そして、前記電界効果トランジスタＢ２，Ｃ２，Ｄ２と太陽電池Ｂ３，Ｃ３，Ｄ３とが特許請求の範囲における切替え手段を構成している。
【００１９】
続いて、無線送受信機側を中心として、送受信の切替えとバンドの切替えにかかる構成を説明する。
アンテナエレメントＡは、同軸ケ−ブルＧを介して無線送受信機Ｈに接続されている。すなわち、アンテナエレメントＡは、無線送受信機ＨのアンテナスイッチＨ１を介して送信部Ｈ２と受信部Ｈ３とに接続されている。
このアンテナスイッチＨ１は、公知技術と同様に、ＰＴＴスイッチ等の送受信切替え手段Ｈ５の操作に従って、アンテナエレメントＡを送信部Ｈ２側或いは受信部Ｈ３側のいずれか一方に切替える。
また、この無線送受信機Ｈには、公知技術と同様に、バンド切替えスイッチＨ４が設けられており、このバンド切替えスイッチＨ４の操作により、選択された複数の通信バンドに応じて送信部Ｈ２，受信部Ｈ３，及び制御手段Ｆにそれぞれバンド切替え制御用信号が出力されるように構成されている。
【００２０】
次に、制御手段Ｆ側の構成を説明する。
制御手段Ｆは、前記バンド切替え制御信号が入力される駆動回路Ｆ１１，Ｆ２１，Ｆ３１と、該駆動回路によって発光／非発光状態に制御される発光ダイオードＦ１，Ｆ２、Ｆ３とを備え、各発光ダイオードにはそれぞれ光ファイバーＥ１，Ｅ２，Ｅ３が対向して配置されている。
従って、前記各発光ダイオードＦ１，Ｆ２、Ｆ３と前記各太陽電池Ｂ３，Ｃ３，Ｄ３とは、それぞれ光ファイバーＥ１，Ｅ２，Ｅ３を介して光結合された状態となっている。
なお、各発光ダイオードと各光ファイバー及び各光ファイバーと各太陽電池との結合部分は、外部からの外乱光の影響を避けるために、それぞれ遮光機能を備えたコネクタを用いて結合するとよい。コネクタを用いることによって、長さの異なる光ファイバーとの交換作業等が容易になる。
【００２１】
なお、バンド切替え信号と発光ダイオードのオン（発光）／オフ（非発光），電界効果トランジスタのオン／オフ，及び各インピーダンス素子の有効／無効状態の関係は表１のように設定されているものとして説明する。
【表１】
0004117863.tif 000002
【００２２】
以上のように、制御手段Ｆと各マッチング手段Ｂ、Ｃ及びＤとはそれぞれ光ファイバーＥ１、Ｅ２及びＥ３を介して接続されているので、発光ダイオ−ドＦ１、Ｆ２及びＦ３を発光／非発光のいずれかに制御することによって、各マッチング手段のインピーダンス素子を有効／無効のいずれかに切替えることができる。従って、バンド切替え制御信号に基づいて、各マッチング手段を切替えて、アンテナエレメントＡを各バンドに適したインピーダンスに整合させることができるのである。
しかも、各光ファイバーは非金属媒体の光伝送手段であるため、アンテナエレメントや同軸ケーブルＧと近接させて配置しても、同軸ケーブルＧに対して電磁的な影響を与えないと共に、同軸ケーブルＧからの電磁的な影響も受けない。
従って、同軸ケーブルＧと各光ファイバーとを並行して敷設しても問題がないため、敷設工事等の自由度が増すという効果も得られる。
さらに、非金属媒体である光ファイバーは軽量であるため、アンテナエレメントに対する機械的な負荷が少ないという効果も得られる。
【００２３】
以下に、上記構成において、バンド切替え操作に連動した各切替え手段の動作を、図１と前記表１を用いて説明する。
【００２４】
まず、バンド切替えスイッチＨ４を第１の通信バンド１に切替えると第１バンド切替え制御信号Ｓ１が出力される。
この第１バンド切替え制御信号Ｓ１に基づいて無線送受信機Ｈのバンドが切替えられるとともに、表１の設定に従って、制御手段Ｆの３つの発光ダイオ−ドＦ１，Ｆ２，Ｆ３が発光し、光エネルギ−は光ファイバーＥ１，Ｅ２，Ｅ３を介して太陽電池Ｂ３，Ｃ３，Ｄ３の受光面に照射され、太陽電池Ｂ３，Ｃ３，Ｄ３に光起電力が発生する。この光起電力は電界効果トランジスタＢ２，Ｃ２，Ｄ２のゲ−ト端子とソ−ス端子に印加されているので所定のしきい値を越えると、電界効果トランジスタＢ２，Ｃ２，Ｄ２がオン状態になる。従って、コイルＢ１とコイルＣ１とコンデンサＤ１の両端は短絡されて無効状態となる。
その結果、アンテナエレメントＡの実効長は実際の長さと同じＬ１となる。
【００２５】
次に、バンド切替えスイッチＨ４を第２の通信バンド２に切替えると第２バンド切替え制御信号Ｓ２が出力される。
この第２バンド切替え制御信号Ｓ２に基づいて無線送受信機Ｈのバンドが切替えられるとともに、制御手段Ｆの発光ダイオ−ドＦ１が消灯し、それ以外の二つの発光ダイオードＦ２，Ｆ３が発光する。従って、太陽電池Ｂ３には光起電力は発生せず、電界効果トランジスタＢ２はオフ状態となる。
なお、光エネルギ−は光ファイバーＥ２，Ｅ３を介して太陽電池Ｃ３，Ｄ３の受光面にのみ照射されているので、太陽電池Ｃ３，Ｄ３には光起電力が発生し、電界効果トランジスタＣ２，Ｄ２はオン状態になる。
従って、コイルＢ１のみが有効状態になる。
その結果、アンテナエレメントＡの実効長は、実際の長さよりコイルＢ１のインダクタンスに相当する分だけ長くなり、見かけ上は選択されたバンド２の周波数帯域に整合する長さとなるのである。
【００２６】
次に、バンド切替えスイッチＨ４を第３の通信バンド３に切替えると第３バンド切替え制御信号Ｓ３が出力される。
この第３バンド切替え制御信号Ｓ３に基づいて無線送受信機Ｈのバンドが切替えられるとともに、制御手段Ｆの発光ダイオ−ドＦ２が消灯し、それ以外の二つの発光ダイオードＦ１，Ｆ３が発光する。従って、太陽電池Ｃ３には光起電力は発生せず、電界効果トランジスタＣ２はオフ状態となる。
なお、光エネルギ−は光ファイバーＥ１，Ｅ３を介して太陽電池Ｂ３，Ｄ３の受光面にのみ照射されているので、太陽電池Ｂ３，Ｄ３には光起電力が発生し、電界効果トランジスタＢ２，Ｄ２はオン状態になる。
従って、コイルＣ１のみが有効状態になる。
その結果、アンテナエレメントＡの実効長は、実際の長さよりコイルＣ１のインダクタンスに相当する分だけ長くなり、見かけ上は選択されたバンド３の周波数帯域に整合する長さとなるのである。
【００２７】
次に、バンド切替えスイッチＨ４を第４の通信バンド４に切替えると第４バンド切替え制御信号Ｓ４が出力される。
この第４バンド切替え制御信号Ｓ４に基づいて無線送受信機Ｈのバンドが切替えられるとともに、制御手段Ｆの発光ダイオ−ドＦ３が消灯し、それ以外の二つの発光ダイオードＦ１，Ｆ２が発光する。従って、太陽電池Ｄ３には光起電力は発生せず、電界効果トランジスタＤ２はオフ状態となる。
なお、光エネルギ−は光ファイバーＥ１，Ｅ２を介して太陽電池Ｂ３，Ｃ３の受光面にのみ照射されているので、太陽電池Ｂ３，Ｃ３には光起電力が発生し、電界効果トランジスタＢ２，Ｃ２はオン状態になる。
従って、コンデンサＤ１のみが有効状態になる。
その結果、アンテナエレメントＡの実効長は、実際の長さよりコンデンサＤ１のキャパシタンスに相当する分だけ短くなり、見かけ上は選択されたバンド４の周波数帯域に整合する長さとなるのである。
【００２８】
上述したように、バンド切替えスイッチＨ４の操作に従って、各マッチング手段Ｂ、Ｃ、Ｄの電界効果トランジスタをそれぞれオン／オフ状態に切替えることによって各インピーダンス素子を無効／有効状態に切替え、アンテナエレメントＡの実効長を変化させれば、各通信バンド毎に確実に、且つ効率よくマッチングさせることができる。
【００２９】
また、本実施例においては、アンテナエレメントＡの途中に各マッチング手段Ｂ、Ｃ、Ｄを設けているため、マッチング手段を基底部に設けている場合と比較して放射効率を良くすることができ、さらにマッチング手段Ｂ、Ｃ、Ｄの切替え手段へ作動エネルギーと作動信号とを伝送手段として、非金属媒体である光ファイバーを利用しているために、アンテナエレメントや同軸ケーブルに供給されている高周波信号が伝送手段に影響を与えることもなく、逆に伝送手段に供給される作動エネルギーや作動信号がアンテナ特性や同軸ケーブルに影響を与えることもない。
【００３０】
さらにまた、光ファイバーは金属ケ−ブルよりも軽量であるため、アンテナエレメントＡへの重量負担を軽減することができる。
【００３１】
なお、前記各インピーダンス素子の仕様は、アンテナエレメントの実際の長さと運用するバンドの周波数帯域に応じて適宜決定するものとする。
そして、各切替え手段を構成する電界効果トランジスタの代わりに、高周波用の小信号リレ−を用いてもよい。
また、光ファイバーの本数は、太陽電池の起電力と電界効果トランジスタの特性に応じて複数本として光量を増やすことができる。また、光ファイバーの光入射端や光放射端には集光レンズや光拡散手段を使用することもできる。
さらには、光ファイバーに代えて反射鏡やプリズム等を組合わせて光伝送手段を構成することも可能である。また、レーザー光やマイクロ波を用いて、切替え手段の作動エネルギーと作動信号を伝送してもよい。
【００３２】
【発明の効果】
本発明の請求項１では、制御手段と切替え手段とは非金属媒体にて構成された光ファイバーを介して光結合され、前記制御手段は、前記複数の切替え手段に対応して複数の発光ダイオードを備えるとともに、前記複数の切替え手段をそれぞれ有効／無効に切り替えるタイミングで、前記複数の切替え手段に対応する発光ダイオードを発光／非発光させるように制御し、各切替え手段は、前記発光ダイオードが発光したときに出力される光エネルギーが前記光ファイバーを介して照射されることによって光起電力を発生させ、この光起電力によって各切替え手段をそれぞれ有効／無効に切り替えるように構成されているので、アンテナの高周波特性に影響を与えることなく、ひとつのアンテナを複数の周波数帯域に対応させることができるのである。また、電池交換等の作業が不要である。
【００３３】
そして、請求項２では、発光ダイオードが発光したときに出力される光エネルギーが、前記光ファイバーを介して対応する太陽電池に照射されて光起電力を発生させ、この光起電力によって各切替え手段をそれぞれ有効／無効に切り替えるように構成されているので、電池交換等の作業が不要である。また、電界効果トランジスタを使用することで、制御電圧が小さくて済むので、太陽電池の起電力で十分である。
【図面の簡単な説明】
【図１】  本発明のアンテナ特性切替機構の実施の形態を組み込んだ多バンド送受信システムのブロック図である。
【図２】  一般的な複数バンド用のアンテナの構成例を示す図である。
【図３】  アンテナ素子の長さを長短切り替えるように構成された従来のアンテナの構成例を示す図である。
【符号の説明】
１     アンテナ特性切替機構
Ａ     アンテナエレメント
Ｂ     マッチング手段（切替え手段）
Ｂ１   コイル（インピーダンス素子）
Ｂ２   電界効果トランジスタ（切替え手段）
Ｂ３   太陽電池（切替え手段）
Ｃ     マッチング手段（切替え手段）
Ｃ１   コイル（インピーダンス素子）
Ｃ２   電界効果トランジスタ（切替え手段）
Ｃ３   太陽電池（切替え手段）
Ｄ     マッチング手段（切替え手段）
Ｄ１   コンデンサ（インピーダンス素子）
Ｄ２   電界効果トランジスタ（切替え手段）
Ｄ３   太陽電池（切替え手段）
Ｅ１，Ｅ２，Ｅ３   光ファイバー
Ｆ     制御手段
Ｆ１，Ｆ２，Ｆ３   発光ダイオード
【図１】
0004117863.tif 000003
【図２】
0004117863.tif 000004
【図３】
0004117863.tif 000005